(57)【要約】【課題】実物よりも大きく見せることができる構造を持ち、しかもより簡単かつ高品質に製造することができるダイヤモンド宝飾品を提供する。【解決手段】ダイヤモンド宝飾品１０は、ダイヤモンド１１と、上方に膨出した球面状の外面１２ａを持つ透明な材料からなる透明球面体１２と、透明球面体１２の底面１２ｂに接着されるベース部材１３とを備える。透明球面体１２およびベース部材１３の境界部には、ダイヤモンド１１よりも大きな容積の収納空間１５が形成されている。ダイヤモンド１１は、収納空間１５内に、動きを許容された状態で収納されている。【選択図】図２
2008136733.tif 000002
【特許請求の範囲】
【請求項１】
ダイヤモンドと、
上方に膨出した球面状の外面を持つ透明な材料からなる透明球面体と、
前記透明球面体の底面に接着されるベース部材とを備え、
前記透明球面体および前記ベース部材の境界部に、前記ダイヤモンドよりも大きな容積の収納空間が形成されており、
前記ダイヤモンドは、前記収納空間内に動きを許容された状態で収納されている、ダイヤモンド宝飾品。
【請求項２】
前記ベース部材は、下方に膨出した球面状の外面を持つ透明な材料からなる、請求項１に記載のダイヤモンド宝飾品。
【請求項３】
前記透明球面体の底面は平坦な面であり、
前記収納空間は、前記ベース部材に設けられている、請求項１または２に記載のダイヤモンド宝飾品。
【請求項４】
前記透明球面体の材質は、水晶である、請求項１〜３のいずれかに記載のダイヤモンド宝飾品。
【請求項５】
前記ベース部材は、有色材料からなる、請求項１〜４のいずれかに記載のダイヤモンド宝飾品。
【請求項６】
宝石と、
上方に膨出した球面状の外面を持つ透明な材料からなる透明球面体と、
前記透明球面体の底面に接着されるベース部材とを備え、
前記透明球面体および前記ベース部材の境界部に、前記宝石よりも大きな容積の収納空間が形成されており、
前記宝石は、前記収納空間内に動きを許容された状態で収納されている、宝飾品。
【発明の詳細な説明】
【技術分野】
【０００１】
この発明は、ダイヤモンド等の宝石を備えた宝飾品に関し、特にダイヤモンド等の宝石を実物よりも大きく見せることのできる宝飾品に関するものである。
【背景技術】
【０００２】
ダイヤモンドを備えた宝飾品として、指輪、ネックレス、ペンダント、ネクタイピン、カフスボタン等がある。これらの宝飾品では、通常、ブリリアンカットされて光り輝くダイヤモンドが露出している。このような宝飾品では、ダイヤモンドが露出しているため、ダイヤモンドにキズがついたり、汚れが付着したりする可能性がある。
【０００３】
また、ダイヤモンドは非常に高価な宝石であり、その大きさに比例して価格も上昇する。そのため、平均的な需要者は、大きなダイヤモンドを購入することができない。
【０００４】
特開２００３−１９０１１号公報（特許文献１）は、上記の課題を解決するために、ダイヤモンドを球状あるいは多面体形状となる透明樹脂または透明ガラスで覆うようにした装身具を開示している。この構成により、小さなダイヤモンドを大きく見せて豪華さ、高級感を与えるようにし、さらにダイヤモンドに汚れが付着しないようにしている。
【特許文献１】特開２００３−１９０１１号公報
【発明の開示】
【発明が解決しようとする課題】
【０００５】
特開２００３−１９０１１号公報に開示された装身具では、宝石を透明樹脂または透明ガラスで覆うために、流し型に透明樹脂あるいは透明ガラスを途中まで流し入れ、その中に目的の装飾品を固定させてからさらに透明樹脂あるいは透明ガラスを追加して固まらせている。その後、透明樹脂または透明ガラスを流し型より取り出し、所望の形状に研削し、最後に表面を磨くことにより最終装身具を得ている。
【０００６】
上記のような製造方法は煩雑であり、製造コストが高くなる。また、溶融した樹脂またはガラスが固まる際に、樹脂またはガラス中に引けや気泡が残ったりするおそれもある。
【０００７】
本発明の目的は、ダイヤモンド等の宝石を実物よりも大きく見せることができる構造を持ち、しかもより簡単かつ高品質に製造することができる宝飾品を提供することである。
【課題を解決するための手段】
【０００８】
本発明に従ったダイヤモンド宝飾品は、ダイヤモンドと、上方に膨出した球面状の外面を持つ透明な材料からなる透明球面体と、この透明球面体の底面に接着されるベース部材とを備える。透明球面体およびベース部材の境界部には、ダイヤモンドよりも大きな容積の収納空間が形成されている。ダイヤモンドは、上記の収納空間内に動きを許容された状態で収納される。
【０００９】
上記の構成を備える本発明によれば、レンズ作用をする透明球面体を通してダイヤモンドを観察することになるので、ダイヤモンドを実物よりも大きく見せることができる。従って、使用者は、比較的低価格でありながら、大きな満足感を得ることができる。また、透明球面体およびベース部材を予め精度よく高品質に製造しておき、ダイヤモンドをそれらの境界部に位置する収納空間内に入れた後に、透明球面体およびベース部材を接着剤等を介して接着するだけでよいので、高品質のダイヤモンド宝飾品を簡単な作業で製造することができる。
【００１０】
収納空間はダイヤモンドの容積よりも大きく、ダイヤモンドはこの収納空間内に動きを許容された状態で収納される。従って、宝飾品を動かすと、収納空間内でダイヤが僅かに揺れたり動いたりするので、きらきらとした輝きがより目立つようになる。
【００１１】
以上のように、本発明によれば、宝飾品の価値がより高められる。
【００１２】
好ましい実施形態では、ベース部材は、下方に膨出した球面状の外面を持つ透明な材料からなる。このような構造であれば、ダイヤモンドの上方からだけではなく、周囲からも良好にダイヤモンドを観察できる。
【００１３】
好ましい実施形態では、透明球面体の底面は平坦な面であり、収納空間は、ベース部材に設けられる。このような透明球面体の形態であれば、透明球面体をより高品質に製造することができるし、透明球面体とベース部材との接着も簡単に行える。さらに、収納空間をベース部材だけに設ければよいので、その加工が容易である。
【００１４】
好ましい実施形態では、透明球面体の材質は、水晶である。水晶は透明感があり、宝石としての価値も高いので、より魅力的なダイヤモンド宝飾品となる。
【００１５】
ダイヤモンド宝飾品を、指輪、ネックレス、ペンダント等の種々の形態に加工することができる。一つの実施形態では、貴金属製の指輪をベース部材に固定する。
【００１６】
ベース部材を有色材料で構成するようにしてもよい。このような構成であれば、上方から透明球面体を通してダイヤモンドを観察したとき、ダイヤモンドを取囲む色模様が現れるので、宝飾品として興味深いものとなる。特に、ベース部材が透明球面体よりも小さな有色半球形状であるならば、ダイヤモンドを取囲む円形の着色リングが観察されるのでより興味深い宝飾品となる。また、適切な色の材料を選択すれば、大きく見えるダイヤモンドの存在をより際立たせることができる。有色材料として、例えば、トパーズ、アクアマリーン、アメジスト等を採用することができる。
【００１７】
他の実施形態として、ダイヤモンドに代えて、ルビー、サファイヤ、エメラルド等の他の宝石を収納空間内に動きを許容した状態で収納するようにしてもよい。すなわち、この実施形態に係る宝飾品は、宝石と、上方に膨出した球面状の外面を持つ透明な材料からなる透明球面体と、透明球面体の底面に接着されるベース部材とを備える。透明球面体およびベース部材の境界部には、宝石よりも大きな容積の収納空間が形成されており、宝石は、この収納空間内に動きを許容された状態で収納されている。
【発明を実施するための最良の形態】
【００１８】
図１〜図３は、この発明の一実施形態を示している。図示するダイヤモンド宝飾品１０は、ブリリアンカットされたダイヤモンド１１と、このダイヤモンド１１を取囲む透明球面体１２およびベース部材１３と、貴金属製の指輪１４とを備える。
【００１９】
透明球面体１２は、透明な材料からなり、上方に膨出した球面状の外面１２ａと、平坦な底面１２ｂとを有する。透明球面体１２を構成する材料としては、透明であればどのような材質のものでもよい。例えば、水晶、ガラス、樹脂等を用いることができるが、この中で好ましいものは水晶である。なぜなら、水晶は、透明感があり、宝石としての価値も高いので、より魅力的なダイヤモンド宝飾品となるからである。
【００２０】
ベース部材１３は、例えば水晶等の透明な材料からなり、下方に膨出した球面状の外面をもつ。ベース部材１３の球面の曲率半径は、透明球面体１２の球面の曲率半径よりも小さい。ベース部材１３の上面は平坦な面であり、接着剤等を介して透明球面体１２の底面に接着される。
【００２１】
図１〜図３に示す実施形態では、透明球面体１２およびベース部材１３は、いずれも半球の形状である。
【００２２】
透明球面体１２とベース部材１３との境界部分には、ダイヤモンド１１よりも大きな容積の収納空間１５が形成されている。図示した実施形態では、ベース部材１５の上面に半球状凹部を設けることによって収納空間１５を形成している。ダイヤモンド１１は、その上面を上方に向けて収納空間１５内に動きを許容された状態で収納されている。具体的には、図２に示すように、収納空間１５内に収納されたダイヤモンド１１の上面と透明球面体１２の底面１２ｂとの間には僅かな隙間が形成され、ダイヤモンド１１の外周部の円周状突起部と収納空間１５の壁面との間には僅かな隙間が形成されている。従って、ダイヤモンド宝飾品１０を振って動かすと、ダイヤモンド１１は収納空間１５内で上下方向および左右方向に僅かに揺れたり動いたりするので、きらきらとした輝きがより目立つようになる。
【００２３】
なお、収納空間１５の容積をダイヤモンド１１の大きさよりも大きくするのは、ダイヤモンド１１の動きを許容するためであるが、あまりにも大きな収納空間にするとダイヤモンド１１が傾いたり、倒れたりするので、そのような傾きや倒れが生じないような適度な大きさにしなければならない。また、ダイヤモンド１１を動ける状態で収納空間１５内に閉じ込めるものであるので、透明球面体１２およびベース部材１３の材質としては、キズが付きにくい硬いものが好ましい。その意味からしても、透明球面体１２およびベース部材１３を水晶で構成するのが好ましい。
【００２４】
指に嵌められる指輪１４は、ベース部材１３に固定される。図示した実施形態は、指に装着される宝飾品であるが、その他の形態の宝飾品として使用することも可能である。その場合には、指輪１４の代わりに他の取り付け部材が使用される。
【００２５】
球面状の外面１２ａを有する透明球面体１２はレンズ作用を発揮するので、図３に示すように、透明球面体１２を通してダイヤモンド１１を観察すると、実物よりも大きく見える。
【００２６】
また、透明球面体１２およびベース部材１３はダイヤモンド１１の周りを完全に取囲んでいるので、ダイヤモンド１１にキズが付いたり、汚れが付着するのを防止できる。
【００２７】
さらに、透明球面体１２のみならず、ベース部材１３も球面状外面を有しているので、ダイヤモンド１１の上方からだけでなく、周囲からもダイヤモンド１１を良好に観察できる。
【００２８】
図４は、この発明の他の実施形態を示している。この図４において前述の実施形態と同一の番号を付した要素は、前述の実施形態のものと同一または相当のものであるので、詳しい説明を省略する。
【００２９】
図４に示したダイヤモンド宝飾品２０の特徴は、球面状外面２２ａおよび平坦な底面２２ｂを持つ透明球面体２２が、半球を越えてより球に近い形状を有している点である。このように球面状外面２２ａの広がりを大きくすれば、透明球面体２２を通してダイヤモンドを観察できる範囲が広がる。
【００３０】
図５は、この発明のさらに他の実施形態を示している。図示するダイヤモンド宝飾品３０の特徴は、透明球面体２２およびベース部材３３を接着させると、真球形状になる点である。ベース部材３３は、先の実施形態と同様に、ダイヤモンド１１を収納するための収納空間３５を有している。
【００３１】
図６は、この発明のさらに他の実施形態を示している。図示するダイヤモンド宝飾品４０の特徴は、透明球面体４２およびベース部材４３の両者に跨るように収納空間４５，４６を形成したことにある。図示していないが、他の実施形態として、透明球面体のみに、ダイヤモンドを収納する収納空間を形成するようにしてもよい。
【００３２】
図７および図８は、さらに他の実施形態を示している。図示するダイヤモンド宝飾品５０の特徴は、半球状の透明球面体５２の平坦な底面に、３個の半球状の透明なベース部材５３，５４，５５を接着したことにある。各ベース部材５３，５４，５５には、ダイヤモンド５１を収納する収納空間が形成されている。この実施形態によれば、透明球面体５２を通して、３個のダイヤモンド５１が実物よりも大きく観察される。
【００３３】
さらに他の実施形態として、図１に示す形状のダイヤモンド宝飾品でありながら、ベース部材として有色材料のものを使用しても良い。図９は、そのような実施形態の宝飾品の平面図である。図示したダイヤモンド宝飾品６０は、ダイヤモンド１１と、半球形状の透明球面体１２と、有色材料からなるベース部材６３とを備える。ダイヤモンド１１は、収納空間内に動ける状態で収納されている。この実施形態によれば、ベース部材６３が有色であるので、透明球面体１２を通してダイヤモンド１１を観察したとき、ダイヤモンド１１の周りに有色リングが現れるので、興味深い宝飾品となる。
【００３４】
有色のベース部材６３として、例えば、トパーズ、アクアマリーン、アメジスト等を採用することができる。
【００３５】
他の実施形態として、ダイヤモンドに代えて、ルビー、サファイヤ、エメラルド等の他の宝石を収納空間内に動きを許容した状態で収納するようにしてもよい。すなわち、この実施形態に係る宝飾品は、宝石と、上方に膨出した球面状の外面を持つ透明な材料からなる透明球面体と、透明球面体の底面に接着されるベース部材とを備える。透明球面体およびベース部材の境界部には、宝石よりも大きな容積の収納空間が形成されており、宝石は、この収納空間内に動きを許容された状態で収納されている。前述した実施形態における種々の特徴的な構成を、ダイヤモンド以外の宝石を備えるこの実施形態の宝飾品にも等しく適用できる。
【００３６】
以上、図面を参照してこの発明の種々の実施形態を説明したが、この発明は、図示した実施形態のものに限定されない。図示した実施形態に対して、この発明と同一の範囲内において、あるいは均等の範囲内において、種々の修正や変形を加えることが可能である。また、各実施形態の特徴を適当に組合せることも可能である。
【産業上の利用可能性】
【００３７】
この発明は、比較的低価格でありながら大きな満足感を得ることのできるダイヤモンド宝飾品として有利に利用され得る。
【図面の簡単な説明】
【００３８】
【図１】この発明の一実施形態を示す側面図である。
【図２】図１に示したダイヤモンド宝飾品の縦断面図である。
【図３】図１に示したダイヤモンド宝飾品の平面図である。
【図４】この発明の他の実施形態を示す側面図である。
【図５】この発明のさらに他の実施形態を示す側面図である。
【図６】この発明のさらに他の実施形態を示す側面図である。
【図７】この発明のさらに他の実施形態を示す底面図である。
【図８】図７に示したダイヤモンド宝飾品の平面図である。
【図９】この発明のさらに他の実施形態の平面図である。
【符号の説明】
【００３９】
１０  ダイヤモンド宝飾品、１１  ダイヤモンド、１２  透明球面体、１２ａ  球面状外面、１２ｂ  底面、１３  ベース部材、１４  指輪、１５  収納空間、２０  ダイヤモンド宝飾品、２２  透明球面体、２２ａ  球面状外面、２２ｂ  底面、３０  ダイヤモンド宝飾品、３３  ベース部材、３５  収納空間、４０  ダイヤモンド宝飾品、４２  透明球面体、４２ａ  球面状外面、４２ｂ  底面、４３  ベース部材、４５，４６  収納空間、５０  ダイヤモンド宝飾品、５１  ダイヤモンド、５２  透明球面体、５３，５４，５５  ベース部材、６０  ダイヤモンド宝飾品、６３  ベース部材。
【図１】
2008136733.tif 000003
【図２】
2008136733.tif 000004
【図３】
2008136733.tif 000005
【図４】
2008136733.tif 000006
【図５】
2008136733.tif 000007
【図６】
2008136733.tif 000008
【図７】
2008136733.tif 000009
【図８】
2008136733.tif 000010
【図９】
2008136733.tif 000011